(57)【要約】【課題】ペットにトイレで用をたす習慣を従来よりも楽に付けさせることができまた反復して使用することができるトイレシートを提供しようとするもの。【解決手段】ペットが用をたす表面側の洗濯可能なパイル生地を含む吸水性シート１と裏面側の防水性シート２とを具備し、表面側には疑似糞尿臭を発散する賦臭剤３が固着された。このペット用トイレシートでは、ペットが用をたす表面側には疑似糞尿臭を発散する賦臭剤が固着されているので、ペットの用便の時間帯ごとに目を光らせてシートにトイレしつけ用のスプレーをする必要はない。【選択図】        図２
2005027537.tif 000002
【特許請求の範囲】
【請求項１】
ペットが用をたす表面側の洗濯可能なパイル生地を含む吸水性シートと裏面側の防水性シートとを具備し、表面側には疑似糞尿臭を発散する賦臭剤が固着されたことを特徴とするペット用トイレシート。
【請求項２】
前記疑似糞尿臭の臭気強度を、ペットは認識することができるが人間は感じない乃至不快とは感じない程度に設定した請求項１記載のペット用トイレシート。
【請求項３】
前記疑似糞尿臭を発散する賦臭剤として、疑似糞尿臭を有する液が収容されたマイクロカプセルを用いた請求項１又は２記載のペット用トイレシート。
【請求項４】
前記疑似糞尿臭は使用開始から約１〜３ヶ月が経過すると発散が終了するように設定した請求項１乃至３のいずれかに記載のペット用トイレシート。
【発明の詳細な説明】
【０００１】
【発明の属する技術分野】
この発明は、犬や猫などのペットにトイレで用をたす習慣を付けさせることができるトイレシートに関するものである。
【０００２】
【従来の技術】
従来より、犬や猫などのペットのトイレしつけ用のスプレーが知られている（例えば、非特許文献１参照）。
【０００３】
このトイレしつけ用のスプレーは、アンモニア等の疑似糞尿臭が配合された液が収容されている。そしてペットを室内で飼う場合、その食事後や目をさました後などの用便の時間帯ごとに使い捨ての紙製のトイレ用シートの中央部に噴霧しておき、そこがトイレの場所であることを臭いで教え込み、ペットが他の場所で粗相を殆どすることがなくなるまでこの作業を根気強く繰り返して行うことによってトイレ用シートで用をたす習慣を付けさせるものである。
【０００４】
しかし、ペットの用便の時間帯ごとに目を光らせてスプレーをする作業はなかなか大変であるという問題があった。また、前記スプレーを噴霧するトイレ用シートは用便毎に使い捨てており、使用のたびにゴミとして廃棄するものであるので昨今の資源問題などの要請に必ずしも合致していないという問題もある。
【０００５】
【非特許文献１】
ＭＫ．スエマツ株式会社  ホームページ、“おマル上手トイレしつけスプレー”、［ｏｎｌｉｎｅ］、［２００３／６／２６検索］、インターネット＜ＵＲＬ：ｈｔｔｐ：／／ｗｗｗ．ｍｋｓｕｅｍａｔｓｕ．ｃｏｍ／ｓｈｏｐ／ｇｏｏｄｓ／ｇｏｏｄｓ．ａｓｐ？ｇｏｏｄｓ＝０３５０００１１３０＞
【０００６】
【発明が解決しようとする課題】
そこでこの発明は、ペットにトイレで用をたす習慣を従来よりも楽に付けさせることができまた反復して使用することができるトイレシートを提供しようとするものである。
【０００７】
【課題を解決するための手段】
前記課題を解決するためこの発明では次のような技術的手段を講じている。
（１）この発明のペット用トイレシートは、ペットが用をたす表面側の洗濯可能なパイル生地を含む吸水性シートと裏面側の防水性シートとを具備し、表面側には疑似糞尿臭を発散する賦臭剤が固着されたことを特徴とする。
【０００８】
このペット用トイレシートでは、ペットが用をたす表面側には疑似糞尿臭を発散する賦臭剤が固着されているので、ペットの用便の時間帯ごとに目を光らせてシートにトイレしつけ用のスプレーをする必要はない。
【０００９】
そして、洗濯可能なパイル生地（パイル織りやパイル編みなど）を含む吸水性シートを用いたので、従来の紙製のものとは異なり用便毎に使い捨てることなく繰り返し洗濯して長期的に使用することができ、昨今の資源問題などの要請に合致するものである。また前記パイル生地は吸水性や保水性に優れるのでペットの尿などを好適に処理することができると共に、ペットに肌触りがよく柔らかくクッション性があり優しいものである。
【００１０】
前記疑似糞尿臭を発散する賦臭剤には、アンモニア、トリメチルアミン、硫化水素、メチルメルカプタン、酢酸、イソ吉草酸などの（悪臭）成分を適宜配合することが出来る。
【００１１】
前記防水性シートとして、例えば塩化ビニール系、オレフィン系、ウレタン系、ゴム系のものなどを好適に用いることが出来る。またこれらにアルミを蒸着したりアルミ箔を積層したりしたものを使用することもできる。このように構成すると、防水性や耐久性が更に向上する。前記表面側の吸水性シートと裏面側の防水性シートとは、例えばラミネートすることにより一体化することができる。
【００１２】
前記疑似糞尿臭を発散する賦臭剤はペット用トイレシートの表面側に固着されるものであり、表面側の吸水性シートであってもよいし、表面側の吸水性シートではなく裏面側の防水性シートの方の上面側などであってもよい。
【００１３】
（２）前記疑似糞尿臭の臭気強度を、ペットは認識することができるが人間は感じない乃至不快とは感じない程度に設定したこととしてもよい。
【００１４】
このように設定すると、ペットの嗅覚の鋭敏さ（一般的に鋭い）と人間の嗅覚の鋭敏さ（一般的にペットよりも鈍い）との差を利用して、疑似糞尿臭を人間は感じない乃至不快には感じない快適な住空間を担保しながら屋内でペットを飼うことができる一方、ペットは疑似糞尿臭（の発散場所）を認知することによってトイレを一定の場所（ペット用トイレシート）でする習慣をつけさせることができる。
【００１５】
前記疑似糞尿臭の臭気強度の設定は、例えば配合するアンモニアその他の（疑似糞尿悪臭）成分の濃度の調整などにより行うことができる。また、ペットは認識することができるが人間は感じない乃至不快とは感じない程度の疑似糞尿臭の臭気強度の設定は、官能試験によって行うことが出来る（ペットについてもその反応等で把握することが出来た）。
【００１６】
（３）前記疑似糞尿臭を発散する賦臭剤として、疑似糞尿臭を有する液が収容されたマイクロカプセルを用いたこととしてもよい。
【００１７】
このように構成すると、疑似糞尿臭を発散する賦臭剤を公知のマイクロカプセルにより比較的容易に製造することができる。前記マイクロカプセルは、例えばバインダー等によりペット用トイレシートの表面側に固着せしめることができる。前記疑似糞尿臭の臭気強度は、マイクロカプセルから揮散してもペットには糞尿臭として認識できるが人間には感じない程度とすることが好ましい。
【００１８】
前記マイクロカプセルとして、例えば疑似糞尿臭を発散する液を高分子樹脂製のカプセル壁の薄膜で包み込んだものを用いることができ、前記薄膜を通して外部に徐々に疑似糞尿臭が放出される徐放性を有するものとすることができる。例えばアンモニアとかの疑似糞尿臭成分をマイクロカプセルに封じ込め、徐々に発散させるようにすることができる。
【００１９】
また、マイクロカプセルが破壊される  （例えば押圧されて破裂する）  と、収容された疑似糞尿臭の液体が外部に滲み出すようにすることもできる。
【００２０】
更に前記マイクロカプセルとして多孔質膜を有するものを用いることもでき、カプセル壁の各孔部を通して疑似糞尿臭が外部に徐々に放出する徐放性を有するようにすることができる。
【００２１】
ここで、マイクロカプセルとして膜厚が薄いものから厚いもののまで混在させておくことにより、疑似糞尿臭を有する液を外部環境に放出する速度を調節することができる。
【００２２】
なお、疑似糞尿臭を発散する賦臭剤をマイクロカプセルではなく粒状の固体として、徐々に疑似糞尿臭が揮散するようにすることもできる。
【００２３】
（４）前記疑似糞尿臭は使用開始から約１〜３ヶ月が経過すると発散が終了するように設定したこととしてもよい。
【００２４】
ペットのトイレのしつけの期間は初期から習慣が付くまで通常約１〜３ヶ月くらいでありこの間は臭いが必要であるが、トイレシートを認識する習慣が付いた後には臭いは不要となるので、疑似糞尿臭の発散は一定期間で終了するように設定することができる。
【００２５】
臭いの発散の終了は、例えばマイクロカプセルが一定期間で脱落ないし失効するように設定することにより行うことができる。例えば、バインダーで付着しているマイクロカプセルが、洗濯が約３０〜９０回くらい（毎日洗濯したとしての回数）で脱落して臭いの発散が終了するようにすることができる。また、洗濯を繰り返したりすることによりマイクロカプセルが徐々に破裂していくことにより臭いが消失していくようにすることもできる。
【００２６】
なお、臭いの発散が終了した後も、勿論普通のトイレシートとしてそのまま反復して使用することができる。
【００２７】
【発明の実施の形態】
以下、この発明の実施の形態を図面を参照して説明する。
【００２８】
図１及び図２に示すように、この実施形態のペット用トイレシートは、ペットが用をたす表面側の洗濯可能なパイル生地（パイル織りやパイル編みなど）を含む吸水性シート１と裏面側の防水性シート２とを具備し、表面側には疑似糞尿臭を発散する賦臭剤３（図２参照）を固着している。前記疑似糞尿臭を発散する賦臭剤３には、アンモニア、トリメチルアミン、硫化水素、メチルメルカプタン、酢酸、イソ吉草酸などの（悪臭）成分を配合することが出来る。
【００２９】
前記防水性シート２として、塩化ビニール系、オレフィン系、ウレタン系、ゴム系のものなどを好適に用いることが出来る。またこれらにアルミを蒸着したりアルミ箔を積層したりしたものを使用することもでき、このように構成すると防水性や耐久性が更に向上する。前記表面側の吸水性シート１と裏面側の防水性シート２とはラミネートすることにより一体化し、周囲をバイアス生地４で覆って縫着した。
【００３０】
前記疑似糞尿臭を発散する賦臭剤３はペット用トイレシートの表面側に固着されるものであり、表面側の吸水性シート１であってもよいし、表面側の吸水性シート１ではなく裏面側の防水性シート２の方の上面側などであってもよい。
【００３１】
前記疑似糞尿臭の臭気強度は、ペットは認識することができるが人間は感じない乃至（悪臭として）不快とは感じない程度に設定した。前記疑似糞尿臭の臭気強度の設定は、例えば配合するアンモニアその他の（疑似糞尿悪臭）成分の濃度の調整などにより行うことができる。また、ペットは認識することができるが人間は感じない乃至不快とは感じない程度の疑似糞尿臭の臭気強度の設定は、官能試験によって行うことが出来る（ペットについてもその反応等で把握することが出来る）。
【００３２】
前記疑似糞尿臭としてアンモニア（単独）を用いた場合、その濃度を約０．６ｐｐｍ以下とすると人間が何の臭いであるかがやっと分かる程度のものとなった。トリメチルアミン（単独）を用いた場合、その濃度を約０．００１ｐｐｍ以下とすると人間が何の臭いであるかがやっと分かる程度のものとなった。硫化水素（単独）を用いた場合、その濃度を約０．００６ｐｐｍ以下とすると人間が何の臭いであるかがやっと分かる程度のものとなった。メチルメルカプタン（単独）を用いた場合、その濃度を約０．０００７ｐｐｍ以下とすると人間が何の臭いであるかがやっと分かる程度のものとなった。イソ吉草酸（単独）を用いた場合、その濃度を約０．０００４ｐｐｍ以下とすると人間が何の臭いであるかがやっと分かる程度のものとなった。このような濃度に設定すると、ペットは認識することができるが人間は感じない乃至悪臭として不快とは感じないものとすることができる。
【００３３】
前記疑似糞尿臭を発散する賦臭剤３として、疑似糞尿臭を有する液が収容されたマイクロカプセルを用いた。前記マイクロカプセルは、バインダー等によりペット用トイレシートの表面側に固着せしめることができる。前記疑似糞尿臭の臭気強度は、マイクロカプセルから揮散してもペットには糞尿臭として認識できるが人間には感じない程度とすることが好ましい。
【００３４】
なお、疑似糞尿臭を発散する賦臭剤３をマイクロカプセルではなく粒状の固体として、徐々に疑似糞尿臭が揮散するようにすることもできる。
【００３５】
前記マイクロカプセルとして、疑似糞尿臭を発散する液を高分子樹脂製のカプセル壁の薄膜で包み込んだものを用いることができ、前記薄膜を通して外部に徐々に疑似糞尿臭が放出される徐放性を有するものとすることができる。例えばアンモニアとかの疑似糞尿臭成分をマイクロカプセルに封じ込め、徐々に発散させるようにすることができる。また、マイクロカプセルが破壊される  （例えば押圧されて破裂する）  と、収容された疑似糞尿臭の液体が外部に滲み出すようにすることもできる。更に前記マイクロカプセルとして多孔質膜を有するものを用いることもでき、カプセル壁の各孔部を通して疑似糞尿臭が外部に徐々に放出する徐放性を有するようにすることができる。ここで、マイクロカプセルとしてサイズが大小色々なものや膜厚が薄いものから厚いもののまで混在させておくことにより、疑似糞尿臭を有する液を外部環境に放出する速度を調節することができる。
【００３６】
前記疑似糞尿臭は、使用開始から約１〜３ヶ月が経過すると発散が終了するように設定した。ペットのトイレのしつけの期間は初期から習慣が付くまで通常約１〜３ヶ月くらいでありこの間は臭いが必要であるが、トイレシートを認識する習慣が付いた後には臭いは不要となるので、疑似糞尿臭の発散は一定期間で終了するように設定することができる。
【００３７】
臭いの発散の終了は、マイクロカプセルが一定期間で脱落ないし破裂、失効するように設定することにより行うことができる。例えば、バインダーで付着しているマイクロカプセルが、洗濯が約３０〜９０回くらい（毎日洗濯したとしての回数）で脱落或いは溶解して臭いの発散が終了するようにすることができる。また、洗濯を繰り返したりすることによりマイクロカプセルが徐々に破裂していくことにより臭いが消失していくようにすることもできる。なお、臭いの発散が終了した後も、勿論普通のペット用トイレシートとしてそのまま反復して使用することができる。
【００３８】
次に、この実施形態のペット用トイレシートの使用状態を説明する。
【００３９】
このペット用トイレシートでは、ペットが用をたす表面側には疑似糞尿臭を発散する賦臭剤３が固着されているので、ペットの用便の時間帯ごとに目を光らせてシートにトイレしつけ用のスプレーをする必要はなく、ペットにトイレで用をたす習慣を従来よりも楽に付けさせることができるという利点がある。
【００４０】
そして、洗濯可能なパイル生地を含む吸水性シート１を用いたので、従来の紙製のものとは異なり用便毎に使い捨てることなく繰り返し洗濯して長期的に使用することができ、昨今の資源問題などの要請に合致するものである。またパイル生地は吸水性や保水性に優れるのでペットの尿などを好適に処理することができると共に、ペットに肌触りがよく柔らかくクッション性があり優しいものである。
【００４１】
また前記疑似糞尿臭の臭気強度を、ペットは認識することができるが人間は感じない乃至不快とは感じない程度に設定したので、ペットの嗅覚の鋭敏さ（一般的に鋭い）と人間の嗅覚の鋭敏さ（一般的にペットよりも鈍い）との差を利用して、疑似糞尿臭を人間は感じない乃至不快には感じない快適な住空間を担保しながら屋内でペットを飼うことができる一方、ペットは疑似糞尿臭（の発散場所）を認知することによってトイレを一定の場所（ペット用トイレシート）でする習慣をつけさせることができるという利点がある。
【００４２】
さらに前記疑似糞尿臭を発散する賦臭剤３として、疑似糞尿臭を有する液が収容されたマイクロカプセルを用いたので、疑似糞尿臭を発散する賦臭剤３を公知のマイクロカプセルにより比較的容易に製造することができるという利点がある。
【００４３】
このペット用トイレシートは、裏面に滑り止め加工をして動物病院の診察台の上に貼付したり、またペットマンションなどにも好適に使用することが出来る。
【００４４】
【発明の効果】
この発明は上述のような構成であり、次の効果を有する。
【００４５】
ペットの用便の時間帯ごとに目を光らせてシートにトイレしつけ用のスプレーをする必要はないのでペットにトイレで用をたす習慣を従来よりも楽に付けさせることができ、また反復して使用することができるトイレシートを提供することができる。
【図面の簡単な説明】
【図１】この発明のペット用トイレシートの実施形態を説明する斜視図。
【図２】図１のペット用トイレシートの要部拡大説明図。
【符号の説明】
１  吸水性シート
２  防水性シート
３  賦臭剤
【図１】
2005027537.tif 000003
【図２】
2005027537.tif 000004